(57)【要約】【課題】複数の面光源をなるべく隙間無く並べて配置することを可能とし、且つ、面光源が意図せず脱落してしまう可能性を低減する。【解決手段】発光装置は、面光源１００と光源固定装置２００とを連結する連結部３１０と、連結部３１０の両端部に形成された第１軸部３２０および第２軸部３３０を備える。光源固定装置２００には、第１軸部３２０が差し込まれる第１凹部２１１と、第１凹部２１１に隣接する第２凹部２１２と、第１軸部３２０を第１凹部２１１内から第２凹部２１２内へ移動させたときに第１軸部３２０の移動を規制する移動規制部２１５が形成されている。第２凹部２１２と面光源１００との間には、第２凹部２１２内の第１軸部３２０が面光源１００側へ脱落することを規制する脱落規制部２１６が形成されている。【選択図】図９
2014235869.tif 000002
【特許請求の範囲】
【請求項１】
面光源と、
前記面光源が固定される光源固定装置と、
前記面光源を前記光源固定装置に固定する際に前記面光源を前記光源固定装置の予め定められた位置に誘導する光源誘導部と、
を備え、
前記光源誘導部は、
前記面光源と前記光源固定装置とを相互に連結する連結部と、
前記連結部の一端部に形成され、前記光源固定装置に対して係合することにより前記光源固定装置に軸支される第１軸部と、
前記連結部の他端部に形成され、前記面光源の非発光面側に軸支される第２軸部と、
を備え、
前記第１軸部および前記第２軸部の軸方向は、互いに平行で、且つ、前記非発光面に対して平行であり、
前記第１軸部の軸方向における前記第１軸部の長さは、当該方向における前記連結部の幅よりも大きく、
前記光源固定装置において前記面光源が固定される側の面には、
前記第１軸部が差し込まれる第１凹部と、
前記第１凹部と連通しているとともに、前記光源固定装置の面方向において前記第１凹部に対して隣接する第２凹部と、
が形成され、
前記第２凹部は前記第１軸部が前記第１凹部内から当該第２凹部内へ移動可能な寸法に形成され、
前記光源固定装置は、更に、前記第１軸部を前記第１凹部内から当該第２凹部内へ移動させたときに当該第１軸部の移動を規制する移動規制部を有し、
前記第２凹部と前記面光源との間には、前記第２凹部内の前記第１軸部が前記面光源側へ脱落することを規制する脱落規制部が形成されている発光装置。
【請求項２】
前記光源固定装置において前記面光源が固定される側の面には、前記第２凹部と連通しているとともに前記連結部の少なくとも一部分を収容する第３凹部が形成されている請求項１に記載の発光装置。
【請求項３】
前記光源固定装置において前記面光源が固定される側の面には、前記第３凹部と連通しているとともに前記第２軸部を収容する第４凹部が形成され、
前記連結部を、前記第２凹部から前記第４凹部に亘って収容可能である請求項２に記載の発光装置。
【請求項４】
前記移動規制部は、前記第２凹部と前記第３凹部との境界、又は、当該境界の近傍に形成されている請求項２又は３に記載の発光装置。
【請求項５】
前記移動規制部は、前記第２凹部と前記第３凹部との境界に形成された段差部を含む請求項４に記載の発光装置。
【請求項６】
前記脱落規制部は、前記第２凹部を覆うひさし状の部分である請求項１〜５の何れか一項に記載の発光装置。
【請求項７】
請求項１〜６の何れか一項に記載の発光装置の前記面光源であって、前記第２軸部を軸支する軸支部を前記非発光面側に有する面光源。
【請求項８】
前記光源誘導部を含んで構成され、前記第２軸部が前記軸支部に軸支されている請求項７に記載の面光源。
【請求項９】
前記光源固定装置から電力を受電する受電端子部を前記非発光面側に有する請求項７又は８に記載の面光源。
【請求項１０】
請求項１〜６の何れか一項に記載の発光装置の前記光源固定装置。
【請求項１１】
前記面光源に対して電力を供給する給電端子部を、前記面光源が固定される側の面に有する請求項１０に記載の光源固定装置。
【発明の詳細な説明】
【技術分野】
【０００１】
本発明は、発光装置、面光源および光源固定装置に関する。
【背景技術】
【０００２】
面光源を壁や天井等に設置するための技術としては、例えば、特許文献１、２の技術がある。
【０００３】
特許文献１には、面光源を収容する筐体と、面光源に側方から係合して該面光源を着脱可能に保持する保持部材と、筐体を筐体に出し入れする方向に保持部材を揺動させる揺動機構と、を備える照明器具が記載されている。
【０００４】
特許文献２には、面光源と、面光源が装着される装着部とが、それらの一端部どうしで互いに回動可能に係合する照明装置が記載されている。面光源の一端部を装着部の一端部に係合させた状態で、面光源が装着部に重なるように面光源を回動させ、面光源の他端部を装着部の他端部に対して係合させることにより、面光源が装着部によって保持されるようになっている。面光源の他端部を装着部の他端部に対して係合させるには、面光源を装着部に対して相対的に他端側にスライドさせるか、又は、面光源の他端部を装着部側に押し込む。
【先行技術文献】
【特許文献】
【０００５】
【特許文献１】特開２００７−２５０３０３号公報
【特許文献２】特開２０１２−１９９２１９号公報
【発明の概要】
【発明が解決しようとする課題】
【０００６】
面光源を壁や天井に配置する場合、複数の面光源をなるべく隙間無く並べて配置することが望まれている。しかし、特許文献１の技術では、保持部材によって面光源を側方から保持し、且つ、揺動機構によって保持部材を揺動させるため、面光源の側方に保持部材と揺動機構の配置スペースが必要である。このため、面光源どうしの間隔が大きく空いてしまう。
【０００７】
また、特許文献２の技術では、面光源を誤って装着部に対してスライドさせるなどによって、面光源の他端部と装着部の他端部との係合が外れてしまうと、面光源が装着部から脱落してしまう可能性がある。
【０００８】
本発明が解決しようとする課題としては、複数の面光源をなるべく隙間無く並べて配置することを可能とし、且つ、面光源が意図せず脱落してしまう可能性を低減することが一例として挙げられる。
【課題を解決するための手段】
【０００９】
請求項１に記載の発明は、
面光源と、
前記面光源が固定される光源固定装置と、
前記面光源を前記光源固定装置に固定する際に前記面光源を前記光源固定装置の予め定められた位置に誘導する光源誘導部と、
を備え、
前記光源誘導部は、
前記面光源と前記光源固定装置とを相互に連結する連結部と、
前記連結部の一端部に形成され、前記光源固定装置に対して係合することにより前記光源固定装置に軸支される第１軸部と、
前記連結部の他端部に形成され、前記面光源の非発光面側に軸支される第２軸部と、
を備え、
前記第１軸部および前記第２軸部の軸方向は、互いに平行で、且つ、前記非発光面に対して平行であり、
前記第１軸部の軸方向における前記第１軸部の長さは、当該方向における前記連結部の幅よりも大きく、
前記光源固定装置において前記面光源が固定される側の面には、
前記第１軸部が差し込まれる第１凹部と、
前記第１凹部と連通しているとともに、前記光源固定装置の面方向において前記第１凹部に対して隣接する第２凹部と、
が形成され、
前記第２凹部は前記第１軸部が前記第１凹部内から当該第２凹部内へ移動可能な寸法に形成され、
前記光源固定装置は、更に、前記第１軸部を前記第１凹部内から当該第２凹部内へ移動させたときに当該第１軸部の移動を規制する移動規制部を有し、
前記第２凹部と前記面光源との間には、前記第２凹部内の前記第１軸部が前記面光源側へ脱落することを規制する脱落規制部が形成されている発光装置である。
【００１０】
請求項７に記載の発明は、
請求項１〜６の何れか一項に記載の発光装置の前記面光源であって、前記第２軸部を軸支する軸支部を前記非発光面側に有する面光源である。
【００１１】
請求項１０に記載の発明は、
請求項１〜６の何れか一項に記載の発光装置の前記光源固定装置である。
【図面の簡単な説明】
【００１２】
【図１】実施形態に係る発光装置の面光源の非発光面側を示す平面図（裏面図）である。
【図２】図２（ａ）および（ｂ）は実施形態に係る発光装置の面光源の側面図であり、このうち図２（ａ）は第１例を示し、図２（ｂ）は第２例を示す。
【図３】実施形態に係る発光装置の光源固定装置の平面図である。
【図４】図４（ａ）〜（ｃ）は実施形態に係る発光装置の光源固定装置を示す図である。
【図５】図５（ａ）および（ｂ）は実施形態に係る発光装置の光源固定装置を示す図である。
【図６】実施形態に係る発光装置の面光源の発光パネルの構成の例を示す断面図である。
【図７】発光パネルの有機機能層の層構造の第１例を示す断面図である。
【図８】発光パネルの有機機能層の層構造の第２例を示す断面図である。
【図９】図９（ａ）〜（ｃ）は実施形態に係る発光装置の動作を示す側断面図である。
【図１０】図１０（ａ）および（ｂ）は実施形態に係る発光装置の側断面図である。
【図１１】図１１（ａ）〜（ｃ）は実施例１に係る発光装置の光源固定装置を示す図である。
【図１２】図１２（ａ）および（ｂ）は実施例１に係る発光装置の光源固定装置を示す図である。
【図１３】図１３（ａ）〜（ｃ）は実施例１に係る発光装置の動作を示す側断面図である。
【図１４】図１４（ａ）および（ｂ）は実施例１に係る発光装置の側断面図である。
【発明を実施するための形態】
【００１３】
以下、実施の形態について、図面を用いて説明する。尚、すべての図面において、同様の構成要素には同一の符号を付し、適宜説明を省略する。
【００１４】
図１は実施形態に係る発光装置の面光源１００の非発光面（第２面１０１ｂ）側を示す平面図（裏面図）である。図２（ａ）および（ｂ）は実施形態に係る発光装置の面光源１００の側面図であり、このうち図２（ａ）は第１例を示し、図２（ｂ）は第２例を示す。図３は実施形態に係る発光装置の光源固定装置２００の平面図である。図４（ａ）〜（ｃ）、図５（ａ）および（ｂ）は実施形態に係る発光装置の光源固定装置２００を示す図である。このうち図４（ａ）は１つの凹部２１０およびその周辺を拡大して示す平面図、図４（ｂ）は図４（ａ）のＡ−Ａ矢視断面図、図４（ｃ）は図４（ａ）のＢ−Ｂ矢視断面図、図５（ａ）は図４（ａ）のＣ−Ｃ矢視断面図、図５（ｂ）は図４（ａ）のＤ−Ｄ矢視断面図である。本実施形態に係る発光装置の面光源１００は、例えば、ディスプレイ、照明装置、又は光通信装置の光源として用いることができる。
【００１５】
本実施形態に係る発光装置は、面光源１００と、面光源１００が固定される光源固定装置２００と、面光源１００を光源固定装置２００に固定する際に面光源１００を光源固定装置２００の予め定められた位置に誘導する光源誘導部３００と、を備える。光源誘導部３００は、面光源１００と光源固定装置２００とを相互に連結する連結部３１０と、連結部３１０の一端部に形成された第１軸部３２０と、連結部３１０の他端部に形成された第２軸部３３０と、を備える。第１軸部３２０は、光源固定装置２００に対して係合することにより光源固定装置２００に軸支される。第２軸部３３０は、面光源１００の非発光面（第２面１０１ｂ）側に軸支される。第１軸部３２０および第２軸部３３０の軸方向は、互いに平行で、且つ、非発光面に対して平行である。第１軸部３２０の軸方向における第１軸部３２０の長さＬは、当該方向における連結部３１０の幅Ｗよりも大きい。光源固定装置２００において面光源１００が固定される側の面（第１面２０１ａ）には、第１軸部３２０が差し込まれる第１凹部２１１と、第１凹部２１１と連通しているとともに光源固定装置２００の面方向において第１凹部２１１に対して隣接する第２凹部２１２と、が形成されている。第２凹部２１２は、第１軸部３２０が第１凹部２１１内から当該第２凹部２１２内へ移動可能な寸法に形成されている。光源固定装置２００は、更に、第１軸部３２０を第１凹部２１１内から当該第２凹部２１２内へ移動させたときに当該第１軸部３２０の移動を規制する移動規制部２１５を有する。第２凹部２１２と面光源１００との間には、第２凹部２１２内の第１軸部３２０が面光源１００側へ脱落することを規制する脱落規制部２１６が形成されている。
【００１６】
以下においては、説明を簡単にするため、発光装置の各構成要素の位置関係（上下関係等）が各図に示す関係であるものとして説明を行う場合がある。ただし、この説明における位置関係は、発光装置の使用時や製造時の位置関係とは無関係である。
【００１７】
面光源１００は、パネル状（板状）の発光パネル１０１を少なくとも備えている。一例として、発光パネル１０１の平面形状は、矩形状であることが挙げられる。ただし、発光パネル１０１の平面形状は、その他の多角形状（五角形、六角形など）でも良いし、円形、楕円形、長円形などでも良い。発光パネル１０１の一方の面である第１面１０１ａ（図２（ａ）、（ｂ））は、光を出射する発光面（光取り出し面）となっている。発光パネル１０１の他方の面である第２面１０１ｂは、光を出射しない非発光面となっている。発光パネル１０１は、第２面１０１ｂが光源固定装置２００のベース部材２０１側を向くように配置される。発光パネル１０１の第２面１０１ｂには、光源誘導部３００が取り付けられる。
【００１８】
光源誘導部３００は、上記のように、連結部３１０と、連結部３１０の一端部に形成された第１軸部３２０と、連結部３１０の他端部に形成された第２軸部３３０と、を備える。連結部３１０は、例えば棒状のものである。第１軸部３２０および第２軸部３３０は、例えば、それぞれ円柱形状のものである。第１軸部３２０は、光源固定装置２００に対して係合することにより光源固定装置２００に軸支される部分であり、第２軸部３３０は、面光源１００の非発光面（第２面１０１ｂ）側に軸支される部分である。第１軸部３２０および第２軸部３３０の軸方向は、互いに平行で、且つ、非発光面に対して平行である。第１軸部３２０および第２軸部３３０の軸方向は、連結部３１０の長手方向に対して直交している。図１に示すように、第１軸部３２０は、連結部３１０の幅方向において、連結部３１０から、連結部３１０の両側に突出している。第１軸部３２０の軸方向における第１軸部３２０の長さＬは、当該方向における連結部３１０の幅Ｗよりも大きい。同様に、第２軸部３３０も、連結部３１０の幅方向において、連結部３１０から、連結部３１０の両側に突出している。なお、本実施形態の場合、第１軸部３２０の太さは、例えば、連結部３１０の太さよりも太くなっており、第１軸部３２０は、連結部３１０よりも光源固定装置２００側に膨出した膨出部３２１（図２（ａ）、（ｂ））を有している。
【００１９】
発光パネル１０１の第２面１０１ｂには、光源誘導部３００を軸支する軸支部１９０が設けられている。この軸支部１９０は、例えば、一対の軸受部１９１を有しており、これら軸受部１９１によって、第２軸部３３０の両端部をそれぞれ軸受けする。一対の軸受部１９１によって、光源誘導部３００の第２軸部３３０の両端部がそれぞれ軸受けされることにより、光源誘導部３００は、第２軸部３３０の軸心を回転中心として発光パネル１０１に対して回動可能となるように、発光パネル１０１に軸支される。このように、本実施形態に係る面光源１００は、本実施形態に係る発光装置の面光源１００であって、第２軸部３３０を軸支する軸支部１９０を非発光面（第２面１０１ｂ）側に有する。
なお、本実施形態の場合、例えば、２つの光源誘導部３００が発光パネル１０１に取り付けられる。このため、第２面１０１ｂには、２つの軸支部１９０（２対の軸受部１９１）が設けられている。
【００２０】
軸受部１９１は、例えば、図２（ａ）に示す形状、又は、図２（ｂ）に示す形状に形成されている。図２（ａ）に示す第１例の場合、一対の軸受部１９１から第２軸部３３０の両端部が脱落しない構造である。
一方、図２（ｂ）に示す第２例の場合、一対の軸受部１９１に対して第２軸部３３０を着脱可能な構造である。第２例の場合、軸受部１９１には、第２軸部３３０を着脱するためのスリット１９２が形成されている。図２（ｂ）に二点鎖線で示される光源誘導部３００を、図２（ｂ）の矢印方向へ移動させて、スリット１９２を通して第２軸部３３０の両端部をそれぞれ軸受部１９１内に押し込むことにより、第２軸部３３０を軸支部１９０に取り付けることができる。また、図２（ｂ）に実線で示される光源誘導部３００を図２（ｂ）の矢印方向とは反対方向へ強く引っ張ることにより、スリット１９２を通して第２軸部３３０の両端部をそれぞれ軸受部１９１から外すことができる。
【００２１】
なお、２つの光源誘導部３００の第２軸部３３０の軸方向が互いに同軸上に位置するように、２つの光源誘導部３００が発光パネル１０１に取り付けられるようになっている。
【００２２】
本実施形態に係る面光源１００は、例えば、光源誘導部３００を含んで構成され、光源誘導部３００の第２軸部３３０が軸支部１９０に軸支されている。
【００２３】
光源固定装置２００は、板状のベース部材２０１を少なくとも備えている。ベース部材２０１の一方の面は、上記の第１面２０１ａであり、ベース部材２０１の他方の面である第２面２０１ｂ（図４（ｂ）、（ｃ））は、天井面や壁面などに固定される面である。
【００２４】
なお、面光源１００がベース部材２０１に取り付けられた状態で面光源１００の面直方向に発光装置を見たときに、面光源１００の外形線、すなわち発光パネル１０１の外形線から、ベース部材２０１がはみ出さないように、ベース部材２０１の寸法が設定されていることが好ましい。本実施形態の場合、例えば、面光源１００がベース部材２０１に取り付けられた状態で面光源１００の面直方向に発光装置を見たときに、面光源１００の外形線（発光パネル１０１の外形線）と、光源固定装置２００の外形線（ベース部材２０１の外形線）とが一致するようになっている。したがって、本実施形態の場合、ベース部材２０１の平面形状は、例えば、矩形状である。
【００２５】
ベース部材２０１の第１面２０１ａには、光源誘導部３００を取り付けるための凹部２１０が形成されている。本実施形態の場合、発光パネル１０１には２つの光源誘導部３００が取り付けられるため、図３に示すように、ベース部材２０１には２つの凹部２１０が形成されている。
【００２６】
図４（ａ）に示すように、凹部２１０は、相互に連通する第１凹部２１１、第２凹部２１２、第３凹部２１３および第４凹部２１４を含んでいる。
第１凹部２１１は、光源誘導部３００の第１軸部３２０が差し込まれる部分である（図９（ａ）参照）。
第２凹部２１２は、第１凹部２１１と連通しているとともにベース部材２０１の面方向において第１凹部２１１に対して隣接している。第１軸部３２０が第１凹部２１１内から第２凹部２１２内へ移動可能なように、第２凹部２１２の寸法が設定されている（図９（ｂ）、（ｃ）参照）。
第３凹部２１３は、第２凹部２１２と連通しているとともに、光源誘導部３００の連結部３１０の少なくとも一部分を収容する（図１０（ａ）参照）。
第４凹部２１４は、第３凹部２１３と連通しているとともに、光源誘導部３００の第２軸部３３０を収容する（図１０（ａ）、（ｂ）参照）。
第１凹部２１１、第２凹部２１２、第３凹部２１３および第４凹部２１４は、例えば、この順に一方向に並んで配置されている。
凹部２１０は、光源誘導部３００の連結部３１０を、第２凹部２１２から第４凹部２１４に亘って収容可能である。なお、第４凹部２１４は、必要に応じて、第３凹部２１３よりも深く形成しても良い。
【００２７】
第４凹部２１４は、第２軸部３３０とともに軸支部１９０を収容する。
第３凹部２１３は、連結部３１０を収容できるだけの幅を有していれば良い。このため、例えば、図４（ａ）に示すように、第３凹部２１３の幅は、第４凹部２１４、第２凹部２１２および第１凹部２１１の幅よりも小さい。
第２凹部２１２および第１凹部２１１は、第１軸部３２０を収容するのに必要な幅を有している。例えば、図４（ａ）に示すように、第２凹部２１２および第１凹部２１１は、互いに等しい幅を有している。
【００２８】
凹部２１０内には、第１軸部３２０を第１凹部２１１内から第２凹部２１２内へ移動させたときに第１軸部３２０の移動を規制する移動規制部２１５が形成されている。
移動規制部２１５は、第２凹部２１２を画定する面のうち、第１凹部２１１側とは反対側の面により構成されている。
本実施形態の場合、移動規制部２１５は、以下に説明する移動規制面２１５ａと段差面２１５ｂとを含む。
ここで、平面視において、第１凹部２１１、第２凹部２１２、第３凹部２１３および第４凹部２１４の並び方向を凹部２１０の長手方向といい、凹部２１０の長手方向に対して直交する方向を凹部２１０の幅方向ということとする。
図４（ａ）に示すように、移動規制面２１５ａは、第２凹部２１２において、平面視において第３凹部２１３よりも凹部２１０の幅方向に突出している部分を画定する面のうち、第１凹部２１１側とは反対側の面である。
また、本実施形態の場合、図４（ｂ）に示すように、第２凹部２１２および第１凹部２１１は、第３凹部２１３よりも深く形成されており、第２凹部２１２と第３凹部２１３との境界には、第２凹部２１２側を向く段差面（段差部）２１５ｂが形成されている。
段差面２１５ｂと移動規制面２１５ａとは、例えば、互いに同一平面上に配置されている。また、段差面２１５ｂと移動規制面２１５ａとは互いに隣接している。
このように、移動規制部２１５は、第２凹部２１２と第３凹部２１３との境界、又は、当該境界の近傍に形成されている。
第１軸部３２０を第１凹部２１１内から第２凹部２１２内へ移動させたときに、第１軸部３２０が段差面２１５ｂおよび移動規制面２１５ａに接触することによって、第１軸部３２０の移動が規制されて第１軸部３２０が停止する（図９（ｂ）および（ｃ）参照）。
【００２９】
また、第２凹部２１２と面光源１００との間には、第２凹部２１２内の第１軸部３２０が面光源１００側へ脱落することを規制する脱落規制部２１６が形成されている（図４（ａ）〜（ｃ）、図５（ｂ）参照）。
脱落規制部２１６は、第２凹部２１２の一部分を覆うひさし状の部分である。
なお、第２凹部２１２は、一対の脱落規制部２１６の間に形成されたスリット２１６ａを含む。
【００３０】
また、発光パネル１０１の第２面１０１ｂには、第１係合部１８０が設けられ、ベース部材２０１の第１面２０１ａには、第１係合部１８０と係合する第２係合部２８０が設けている。第１係合部１８０と第２係合部２８０とは、互いに対向する位置に配置されている。第１係合部１８０は、例えば係合爪であり、第２係合部２８０は、例えば、係合孔である。係合孔内には、係合爪が係止される係止部２８１が形成されている。発光パネル１０１をベース部材２０１の第１面２０１ａに重ねて配置することにより、第１係合部１８０が第２係合部２８０内に入り込み、第１係合部１８０が係止部２８１に係止される（第１係合部１８０と第２係合部２８０とが係合する）ようになっている。第１係合部１８０が係止部２８１に係止されることにより、面光源１００がベース部材２０１から離間する方向へ移動してしまうことを、ある程度の力で規制できるようになっている。なお、第１係合部１８０と第２係合部２８０との係合が外れる程度の大きさの力で、面光源１００をベース部材２０１から離間する方向へ引っ張ることにより、面光源１００をベース部材２０１から離間させることができるようになっている。第１係合部１８０および第２係合部２８０の数は、１つずつでも良いし、複数ずつでも良い。本実施例では、第１係合部１８０および第２係合部２８０が３つずつの例を図示している。
【００３１】
また、発光パネル１０１の第２面１０１ｂには、光源固定装置２００から電力を受電する受電端子部１７１、１７２が設けられている。すなわち、面光源１００は、光源固定装置２００から電力を受電する受電端子部１７１、１７２を非発光面（第２面１０１ｂ）側に有する。
一方、ベース部材２０１の第１面２０１ａには、発光パネル１０１に対して電力を供給する給電端子部２７１、２７２が設けられている。すなわち、光源固定装置２００は、面光源１００に対して電力を供給する給電端子部２７１、２７２を、面光源１００側が固定される側の面（第１面２０１ａ）に有する。給電端子部２７１、２７２には、図示しない外部電源からの電力が供給されるようになっている。
発光パネル１０１をベース部材２０１の第１面２０１ａに重ねて配置することにより、給電端子部２７１と受電端子部１７１とが相互に接触して電気的に接続されるとともに、給電端子部２７２と受電端子部１７２とが相互に接触して電気的に接続されるようになっている。
なお、ここでは、受電端子部１７１、１７２および給電端子部２７１、２７１の数が２つずつの例を示すが、受電端子部１７１、１７２および給電端子部２７１、２７１の数は３つずつ以上であっても良い。
【００３２】
次に、面光源１００の発光パネル１０１の構成について説明する。図６は実施形態に係る発光装置の面光源１００の発光パネル１０１の構成の例を示す断面図である。
【００３３】
発光パネル１０１は、発光素子１０２と、この発光素子１０２が一方の面に設けられた固定板１６０と、を備えている。
【００３４】
発光素子１０２は、例えば、有機ＥＬ（Ｅｌｅｃｔｒｏ  Ｌｕｍｉｎｅｓｃｅｎｃｅ）素子であることが挙げられる。ただし、発光素子１０２は、有機ＥＬ素子に限らない。発光素子１０２は、例えば、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。また、発光素子１０２は、無機ＥＬ素子であっても良い。発光素子１０２の一方の面（図６の上面）は、発光パネル１０１の第１面１０１ａを構成している。第１面１０１ａは、光を放射する発光面となっている。
【００３５】
発光パネル１０１は、発光素子１０２を発光させる制御を行う電子回路を含んで構成されていても良いし、電子回路は、発光パネル１０１とは別体となっていても良い。
【００３６】
図６には、発光素子１０２が有機ＥＬ素子である場合の構成例を示している。この場合、発光素子１０２は、例えば、透光性基板１１０と、透光性の第１電極１３０と、有機機能層１４０と、第２電極１５０と、を有する。第１電極１３０は、透光性基板１１０の一方の面側（図６において下側）に配置されている。有機機能層１４０は、第１電極１３０を基準として透光性基板１１０とは反対側（図６において下側）に配置されている。第２電極１５０は、有機機能層１４０を基準として第１電極１３０とは反対側（図６において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００３７】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面（上記の第１面１０１ａ）となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面（上記の第１面１０１ａ）を構成していても良い。
【００３８】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００３９】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光パネル１０１の外部（つまり上記光放出空間）に放射される（取り出される）。
【００４０】
図示しない接続導体を介して、第１電極１３０には受電端子部１７１が電気的に接続されている。同様に、図示しない接続導体を介して、第２電極１５０には受電端子部１７２が電気的に接続されている。このため、発光パネル１０１をベース部材２０１の第１面２０１ａに重ねて配置することにより、外部電源から発光素子１０２に電力を供給し、発光素子１０２を発光させることができる。
【００４１】
以下、有機機能層１４０の層構造のより具体的な例を説明する。
【００４２】
図７は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００４３】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
【００４４】
なお、発光層１４３は、複数の色を発光するための材料を混ぜることにより、白色等の単一の発光色で発光するように構成されていても良い。
【００４５】
図８は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【００４６】
次に、動作を説明する。
【００４７】
図９（ａ）〜（ｃ）は実施形態に係る発光装置の動作を示す側断面図である。図１０（ａ）および（ｂ）は実施形態に係る発光装置の側断面図であり、面光源１００が光源固定装置２００に取り付けられた状態を示す。図１０（ａ）は図４（ｂ）と同様に、図４（ａ）のＡ−Ａ矢視断面に相当する部分の断面を示す。図１０（ｂ）は図４（ｃ）と同様に、図４（ａ）のＢ−Ｂ矢視断面に相当する部分の断面を示す。
【００４８】
先ず、面光源１００を光源固定装置２００に取り付ける動作を説明する。なお、複数の面光源１００が互いにほぼ隙間無くタイリングされているものとする。そして、隣接する４つの面光源１００により囲まれた位置に、面光源１００を取り付けるものとする。なお、面光源１００には、予め２つの光源誘導部３００が取り付けられている。
【００４９】
図９（ａ）および図９（ｂ）に示すように、２つの光源誘導部３００の第１軸部３２０を、それぞれ対応する第１凹部２１１内に差し込む。このとき、連結部３１０の先端部は、例えば、スリット２１６ａ内に入り込むためベース部材２０１と干渉しない。
【００５０】
次に、図９（ｂ）および図９（ｃ）に示すように、第１軸部３２０が第１凹部２１１内から第２凹部２１２内へ移動するように、面光源１００および光源誘導部３００を凹部２１０の長手方向においてベース部材２０１に対して相対的に移動させる。この移動の際、連結部３１０の先端部は、スリット２１６ａ内、ないしは第３凹部２１３内で移動し、ベース部材２０１と干渉しない。
第１軸部３２０の移動は、第１軸部３２０が移動規制部２１５（段差面２１５ｂおよび移動規制面２１５ａ）に接触することによって停止する（図９（ｃ））。本実施形態の場合、特に、膨出部３２１が段差面２１５ｂに接触することにより、第１軸部３２０の移動が好適に規制される。
【００５１】
ここで、第１軸部３２０は、第２凹部２１２の底面と脱落規制部２１６との間に入り込んでいる。このため、この時点で既に、第１軸部３２０が第２凹部２１２内から面光源１００側へ脱落することが、脱落規制部２１６によって規制されている。
【００５２】
なお、ここまでの動作は、取り付けられる面光源１００が、ベース部材２０１から離間した状態で行うことができる。このため、取り付けられる面光源１００が、その周囲の既設の面光源１００に対して干渉しない。
【００５３】
次に、図９（ｃ）に示す矢印の方向へと連結部３１０を倒すとともに、面光源１００をベース部材２０１側へ移動させる。このとき、連結部３１０は、第１軸部３２０を揺動の中心として、ベース部材２０１に対して揺動する。また、このとき、連結部３１０は、第２軸部３３０を揺動の中心として、面光源１００に対して揺動することが可能である。
【００５４】
面光源１００は、連結部３１０の揺動に伴い、ベース部材２０１の第１面２０１ａ上における所定の位置へ誘導される。その結果、図１０（ａ）および（ｂ）に示すように、面光源１００はベース部材２０１に対して取り付けられる。この状態では、図１０（ａ）に示すように、連結部３１０が第３凹部２１３内に収容され、第２軸部３３０および軸支部１９０が第４凹部２１４内に収容される。
【００５５】
また、このように面光源１００をベース部材２０１に取り付けることによって、面光源１００の第１係合部１８０と光源固定装置２００の第２係合部２８０とが相互に係合する。これにより、面光源１００とベース部材２０１とが相互に機械的に固定される。
【００５６】
また、このとき、受電端子部１７１が給電端子部２７１に対して接触して受電端子部１７１と給電端子部２７１とが相互に電気的に接続されるとともに、受電端子部１７２が給電端子部２７２に対して接触して受電端子部１７２と給電端子部２７２とが相互に電気的に接続される。よって、給電端子部２７１、２７２から受電端子部１７１、１７２に対して外部電源からの電力が供給される状態となる。これにより、面光源１００の発光素子１０２は、外部電源から供給される電力によって発光する。
【００５７】
ここで、面光源１００を光源誘導部３００による誘導に従ってベース部材２０１側に移動させるだけで、面光源１００をベース部材２０１上の所定の設置位置へ誘導できるとともに、面光源１００とベース部材２０１とを相互に機械的及び電気的に接続することができる。このため、面光源１００の背面側（ベース部材２０１側）とベース部材２０１との接続（機械的及び電気的接続）に配慮する必要が無い。
【００５８】
ここで、連結部３１０は、第１軸部３２０を中心として揺動するだけでなく、第２軸部３３０を中心としても揺動する。このため、例えば面光源１００をベース部材２０１に対してほぼ平行に維持したまま、面光源１００をベース部材２０１に近づけることができる。よって、新たに取り付けられる面光源１００と、それに隣接する面光源１００とのクリアランスが極めて小さい場合にも、新たに取り付けられる面光源１００とそれに隣接する面光源１００とが干渉することなく、新たに取り付けられる面光源１００をベース部材２０１に取り付けることができる。
特に、面光源１００がベース部材２０１に近接した状態では、面光源１００を実質的に該面光源１００の面直方向へ移動させることにより、面光源１００をベース部材２０１に近づけることができる。よって、新たに取り付けられる面光源１００と、それに隣接する面光源１００とのクリアランスが極めて小さい場合にも、新たに取り付けられる面光源１００とそれに隣接する面光源１００とが干渉することなく、新たに取り付けられる面光源１００をベース部材２０１に取り付けることができる。その結果、互いに隣接して配置される面光源１００どうしのクリアランスを極めて小さくすることができる。
【００５９】
なお、面光源１００が光源固定装置２００に取り付けられた状態では、光源誘導部３００は、凹部２１０内に収まる。このため、面光源１００が光源固定装置２００に取り付けられた状態で、面光源１００の面直方向に発光装置を見たときに、光源誘導部３００が面光源１００の外形線（発光パネル１０１の外形線）からはみ出さない。
【００６０】
また、面光源１００の発光素子１０２が劣化するなどにより、面光源１００を交換する必要が生じた場合、以下のような動作を行うことによって、面光源１００を光源固定装置２００から取り外す。
【００６１】
例えば、先ず、第１面１０１ａを吸盤等で吸着保持し、面光源１００をベース部材２０１から離間する方向に引っ張る。これにより、面光源１００の第１係合部１８０と光源固定装置２００の第２係合部２８０との係合が外れ、面光源１００がベース部材２０１から離間する。このとき、連結部３１０は、第１軸部３２０を揺動の中心として揺動し、ベース部材２０１から起立する。
【００６２】
このとき、連結部３１０は第２軸部３３０を揺動の中心として面光源１００に対して揺動できるので、例えば面光源１００をベース部材２０１に対してほぼ平行に維持したまま、面光源１００をベース部材２０１から離間させることができる。よって、交換対象の面光源１００と、それに隣接する面光源１００とのクリアランスが極めて小さい場合にも、交換対象の面光源１００とそれに隣接する面光源１００とが干渉することなく、交換対象の面光源１００をベース部材２０１から離間させることができる。
特に、面光源１００がベース部材２０１に近い状態では、面光源１００を実質的に該面光源１００の面直方向へ移動させることにより、面光源１００をベース部材２０１から離間させることができる。よって、交換対象の面光源１００と、それに隣接する面光源１００とのクリアランスが極めて小さく、交換対象の面光源１００がその面方向には殆ど移動できない場合でも、交換対象の面光源１００とそれに隣接する面光源１００とが干渉することなく、交換対象の面光源１００をベース部材２０１から離間させることができる。
【００６３】
なお、面光源１００を取り外す際に面光源１００をベース部材２０１から離間させた状態でも、面光源１００は連結部３１０を介してベース部材２０１に対して連結されているので（図９（ｃ）参照）、直ちに面光源１００がベース部材２０１から外れる訳ではない。このため、設置状態の面光源１００に対して何らかの外力が作用することなどにより、面光源１００がベース部材２０１から離間してしまった場合でも、面光源１００がベース部材２０１から分離し脱落してしまう可能性は低い。
【００６４】
次に、第１軸部３２０を第２凹部２１２内から第１凹部２１１内へと移動させる。次に、第１軸部３２０を第１凹部２１１から引き抜く。これにより、交換対象の面光源１００をベース部材２０１から分離させることができる。このとき、交換対象の面光源１００は、ベース部材２０１から離間しているため、交換対象の面光源１００が、その周囲の面光源１００に対して干渉しない。
【００６５】
次に、新しい面光源１００を準備する。ここで、光源誘導部３００を発光パネル１０１に対して着脱可能な構成の場合（図２（ｂ）のような構成の場合等）は、古い（交換前の）発光パネル１０１に取り付けられていた光源誘導部３００を該古い発光パネル１０１から取り外して、新しい発光パネル１０１に取り付けることにより、新しい面光源１００を準備する。また、光源誘導部３００を発光パネル１０１から取り外せない場合（図２（ａ）のような構成の場合等）は、光源誘導部３００と発光パネル１０１とを含む新しい面光源１００を準備する。
【００６６】
次に、上記と同様の手順により新しい面光源１００を光源固定装置２００に取り付ける。
【００６７】
以上、本実施形態によれば、面光源１００と、面光源１００が固定される光源固定装置２００と、面光源１００を光源固定装置２００に固定する際に面光源１００を光源固定装置２００の予め定められた位置に誘導する光源誘導部３００と、を備える。光源誘導部３００は、面光源１００と光源固定装置２００とを相互に連結する連結部３１０と、連結部３１０の一端部に形成された第１軸部３２０と、連結部３１０の他端部に形成された第２軸部３３０と、を備える。第１軸部３２０は、光源固定装置２００に対して係合することにより光源固定装置２００に軸支される。第２軸部３３０は、面光源１００の非発光面（第２面１０１ｂ）側に軸支される。第１軸部３２０および第２軸部３３０の軸方向は、互いに平行で、且つ、非発光面に対して平行である。第１軸部３２０の軸方向における第１軸部３２０の長さＬは、当該方向における連結部３１０の幅Ｗよりも大きい。光源固定装置２００において面光源１００が固定される側の面（第１面２０１ａ）には、第１軸部３２０が差し込まれる第１凹部２１１と、第１凹部２１１と連通しているとともに光源固定装置２００の面方向において第１凹部２１１に対して隣接する第２凹部２１２と、が形成されている。第２凹部２１２は、第１軸部３２０が第１凹部２１１内から当該第２凹部２１２内へ移動可能な寸法に形成されている。光源固定装置２００は、更に、第１軸部３２０を第１凹部２１１内から当該第２凹部２１２内へ移動させたときに当該第１軸部３２０の移動を規制する移動規制部２１５を有する。第２凹部２１２と面光源１００との間には、第２凹部２１２内の第１軸部３２０が面光源１００側へ脱落することを規制する脱落規制部２１６が形成されている。
【００６８】
よって、第１軸部３２０を第１凹部２１１に差し込み、第１軸部３２０を第１凹部２１１内から第２凹部２１２内に移動させて、移動規制部２１５により移動停止させ、面光源１００を光源固定装置２００側へ移動させることにより、面光源１００を容易に光源固定装置２００に取り付けることができる。
ここで、面光源１００を光源固定装置２００側へ移動させる際は、連結部３１０がその一端側の第１軸部３２０を回転の中心として光源固定装置２００に対して揺動し、面光源１００は連結部３１０によって光源固定装置２００の所定の設置位置へ誘導される。よって、面光源１００の位置合わせに配慮しなくても、容易に面光源１００を所定の設置位置へ配置することができる。
【００６９】
また、連結部３１０に設けられた第２軸部３３０は、面光源１００の非発光面（第２面１０１ｂ）側に軸支されるので、面光源１００の面方向における発光装置の寸法を抑制することができる。よって、複数の面光源１００をなるべく隙間無く並べて配置することが可能である。面光源１００をタイリングした場合に、隣り合う面光源１００どうしの隙間が広い、すなわち額縁幅が広くなると、格子状の非発光部分が目立つことになり、美観を損ねてしまう。これに対し、本実施形態では、複数の面光源１００をなるべく隙間無く並べて配置することが可能であるため、複数の面光源１００をタイリングしたときの美観を優れたものとすることができる。
【００７０】
また、面光源１００とベース部材２０１とを相互に連結する連結部３１０は、互いに平行な２つの軸（第１軸部３２０および第２軸部３３０）を回転軸として回動する。このため、面光源１００をベース部材２０１に対してほぼ平行に維持したまま、面光源１００をベース部材２０１に対して近づけたりベース部材２０１から遠ざけたりすることができる。特に、面光源１００がベース部材２０１に近接した状態では、面光源１００を実質的に該面光源１００の面直方向へ移動させることにより、面光源１００をベース部材２０１に近づけたりベース部材２０１から遠ざけたりすることができる。よって、取り付け又は交換の対象となる面光源１００と、それに隣接する面光源１００とのクリアランスが極めて小さい場合にも、取り付け又は交換の対象となるとそれに隣接する面光源１００とが干渉することなく、取り付け又は交換の対象となる面光源１００をベース部材２０１に近づけたりベース部材２０１から遠ざけたりすることができる。その結果、互いに隣接して配置される面光源１００どうしのクリアランスを極めて小さくすることができる。
【００７１】
また、面光源１００を取り外す際に面光源１００をベース部材２０１から離間させた状態でも、面光源１００は連結部３１０を介してベース部材２０１に対して連結されているので、直ちに面光源１００がベース部材２０１から外れる訳ではない。このため、面光源１００が意図せず脱落してしまう可能性を低減することができる。
【００７２】
光源固定装置２００において面光源１００が固定される側の面（第２面１０１ｂ）には、第２凹部２１２と連通しているとともに連結部３１０の少なくとも一部分を収容する第３凹部２１３が形成されている。このため、連結部３１０をなるべく光源固定装置２００側に倒した状態で、面光源１００を光源固定装置２００に取り付けることができる。よって、面光源１００を光源固定装置２００に取り付けた状態での発光装置の厚さを低減することができる。
【００７３】
光源固定装置２００において面光源１００が固定される側の面（第２面１０１ｂ）には、第３凹部２１３と連通しているとともに第２軸部３３０を収容する第４凹部２１４が形成されている。そして、連結部３１０を、第２凹部２１２から第４凹部２１４に亘って収容可能である。このため、連結部３１０をなるべく光源固定装置２００側に倒した状態で、面光源１００を光源固定装置２００に取り付けることができる。よって、面光源１００を光源固定装置２００に取り付けた状態での発光装置の厚さを低減することができる。
【００７４】
移動規制部２１５は、第２凹部２１２と第３凹部２１３との境界、又は、当該境界の近傍に形成されているので、光源固定装置２００および第１軸部３２０を複雑な形状にしなくても、第１軸部３２０の移動を規制する構造を実現することができる。
【００７５】
移動規制部２１５は、第２凹部２１２と第３凹部２１３との境界に形成された段差面２１５ｂを含むので、より確実に第１軸部３２０の移動を規制することができる。
【００７６】
脱落規制部２１６は、第２凹部２１２を覆うひさし状の部分であるので、簡単な構造によって、第２凹部２１２内の第１軸部３２０が面光源１００側へ脱落することを規制することができる。
【００７７】
面光源１００は、光源誘導部３００の第２軸部３３０を軸支する軸支部１９０を非発光面（第２面１０１ｂ）側に有するので、軸支部１９０によって第２軸部３３０を軸支して、面光源１００により光源誘導部３００を保持することができる。
【００７８】
面光源１００は、光源固定装置２００から電力を受電する受電端子部１７１、１７２を非発光面（第２面１０１ｂ）側に有するので、面光源１００は光源固定装置２００から電力を受電することができる。
【００７９】
光源固定装置２００は、面光源１００に対して電力を供給する給電端子部２７１、２７２を、面光源１００が固定される側の面（第１面２０１ａ）に有するので、光源固定装置２００から面光源１００に対して電力を供給することができる。
【実施例】
【００８０】
（実施例１）
図１１（ａ）〜（ｃ）、図１２（ａ）および（ｂ）は本実施例に係る発光装置の光源固定装置２００を示す図である。このうち図１１（ａ）は１つの凹部２１０およびその周辺を拡大して示す平面図、図１１（ｂ）は図１１（ａ）のＡ−Ａ矢視断面図、図１１（ｃ）は図１１（ａ）のＢ−Ｂ矢視断面図、図１２（ａ）は図１１（ａ）のＣ−Ｃ矢視断面図、図１２（ｂ）は図１１（ａ）のＤ−Ｄ矢視断面図である。図１３（ａ）〜（ｃ）は本実施例に係る発光装置の動作を示す側断面図である。図１４（ａ）および（ｂ）は本実施例に係る発光装置の側断面図であり、面光源１００が光源固定装置２００に取り付けられた状態を示す。図１４（ａ）は図１０（ａ）と同様に、図４（ａ）のＡ−Ａ矢視断面に相当する部分の断面を示す。図１４（ｂ）は図１０（ｂ）と同様に、図４（ａ）のＢ−Ｂ矢視断面に相当する部分の断面を示す。本実施例に係る発光装置は、以下に説明する点で上記の実施形態に係る発光装置と相違し、その他の点では実施形態に係る発光装置と同様に構成されている。
【００８１】
上記の実施形態では、第１軸部３２０が膨出部３２１を有し、凹部２１０内に段差面２１５ｂが形成されている例を説明したが、本実施例の場合、第１軸部３２０は膨出部３２１を有しておらず、凹部２１０内には段差面２１５ｂが形成されていない。本実施例の場合、移動規制部２１５は、移動規制面２１５ａのみにより構成されている。そして、第２凹部２１２および第１凹部２１１の深さは、第３凹部２１３の深さと等しくなっている。
【００８２】
本実施例の場合、第１軸部３２０を第１凹部２１１内から第２凹部２１２内へ移動させたときに、第１軸部３２０が移動規制面２１５ａに接触することによって、第１軸部３２０の移動が規制されて第１軸部３２０が停止する（図１３（ｂ）および（ｃ）参照）。
【００８３】
本実施例によっても、上記の実施形態と同様の効果が得られる。
【００８４】
以上、図面を参照して実施形態及び実施例について述べたが、これらは本発明の例示であり、上記以外の様々な構成を採用することもできる。
【００８５】
例えば、脱落規制部２１６において、第２凹部２１２の底面側を向く面２１６ｂ（図４（ｃ）、図５（ｂ））は、第１凹部２１１側から第３凹部２１３側へ向かうにつれて、面光源１００側に近づくように傾斜していることも好ましい。このようにすることによって、面光源１００と光源固定装置２００とが光源誘導部３００のみを介して連結された状態（図９（ｃ）の状態等）において、第１軸部３２０が第２凹部２１２から脱落してしまう可能性を更に低減することができる。
【符号の説明】
【００８６】
１００ 面光源
１０１ｂ 第２面（非発光面）
２００ 光源固定装置
２０１ａ 第１面（面光源側の面）
１７１ 受電端子部
１７２ 受電端子部
１９０ 軸支部
２１１ 第１凹部
２１２ 第２凹部
２１３ 第３凹部
２１４ 第４凹部
２１５ 移動規制部
２１５ｂ 段差面（段差部）
２１６ 脱落規制部
２７１ 給電端子部
２７２ 給電端子部
３００ 光源誘導部
３１０ 連結部
３２０ 第１軸部
３３０ 第２軸部
【図１】
2014235869.tif 000003
【図２】
2014235869.tif 000004
【図３】
2014235869.tif 000005
【図４】
2014235869.tif 000006
【図５】
2014235869.tif 000007
【図６】
2014235869.tif 000008
【図７】
2014235869.tif 000009
【図８】
2014235869.tif 000010
【図９】
2014235869.tif 000011
【図１０】
2014235869.tif 000012
【図１１】
2014235869.tif 000013
【図１２】
2014235869.tif 000014
【図１３】
2014235869.tif 000015
【図１４】
2014235869.tif 000016